(57)【要約】【課題】小型化の要請に適した光学装置を提供することである。【解決手段】主反射鏡(MR)及び前記補助反射鏡(SR)は、ともに、水銀ランプ(10)の放射光のうち、紫外光と可視光は反射するが、赤外光は透過するものであり、主反射鏡(MR)の反射光を受ける位置であって、当該主反射鏡(MR)の第二焦点よりも当該主反射鏡(MR)に近い位置に設けられるとともに、前記主反射鏡(MR)の反射光のうち可視光は透過するが紫外光は反射するためのものであってランプ側の側面が曲面であるレンズが配置されたことを特徴とする。【選択図】      図１
2010060855.tif 000002
【特許請求の範囲】
【請求項１】
一対の電極を有する発光部とこの発光部の両端に設けられた封止部よりなるショートアーク型水銀ランプと、
このショートアーク型水銀ランプのアーク方向と光軸が一致するとともに、第一焦点が概ね電極間に形成された状態で当該水銀ランプを取り囲むよう配置された回転楕円体からなる主反射鏡と、
封止部のうち主反射鏡の開口側に配置された封止部に取り付けられるとともに、当該水銀ランプから主反射鏡の開口側へ直接放射された光を主反射鏡に向けて再び反射させるための補助反射鏡と、
よりなる光学装置において、
前記主反射鏡及び前記補助反射鏡は、ともに、前記水銀ランプの放射光のうち、紫外光と可視光は反射するが、赤外光は透過するものであり、
また、前記主反射鏡からの光のうち、可視光は透過させるが紫外光は反射させるとともに、当該光の入射面が曲面形状であるレンズが、前記主反射鏡の第ニ焦点位置よりも主反射鏡に近い位置に配置されることを特徴とする光学装置。
【請求項２】
前記レンズは、前記主反射鏡からの光が垂直に入るように構成されたことを特徴とする請求項１の光学装置。
【請求項３】
前記レンズはメニスカスレンズであることを特徴とする請求項１の光学装置。
【請求項４】
前記補助反射鏡は球面反射鏡から構成されることを特徴とする請求項１の光学装置。
【請求項５】
前記主反射鏡の開口縁で形成される仮想面(MR-VS)と、前記補助反射鏡の開口縁で形成される仮想面(SR-VS)が、ほぼ一致することを特徴とする請求項１の光学装置。
【請求項６】
前記ショートアーク型水銀ランプは、発光部に0.15ｍｇ／ｍｍ３以上の水銀を封入していることを特徴とする請求項１の光学装置。
【請求項７】
前記ショートアーク型水銀ランプは、一対の電極同士の間隙が0.5〜2.0ｍｍであることを特徴とする請求項１の光学装置。
【請求項８】
前記ショートアーク型水銀ランプは、発光部に５×１０−５〜７×１０−３μｍｏｌ／ｍｍ３のハロゲンを封入していることを特徴とする請求項１の光学装置。
【請求項９】
前記ショートアーク型水銀ランプは、電極の先端に突起が形成されていることを特徴とする請求項８の光学装置。
【発明の詳細な説明】
【技術分野】
【０００１】
この発明は光学装置に関する。特に、プロジェクター装置に使われる光学装置に関する。
【背景技術】
【０００２】
プロジェクター装置は、一般に、液晶（ＬＣＤ）パネルを使う方式とＤＬＰを使う方式が存在する。
ＬＣＤパネルを使う方式は、１枚式と３枚式があるが、いずれの方式であっても、光源からの放射光を３色（ＲＧＢ）に分離して、ＬＣＤパネルにおいて画像情報に対応させた光を透過調整して、その後、パネルを透過した３色を合成させてスクリーン上に投射させる方式である。
一方、ＤＬＰ（登録商標）を使う方式は、光源からの放射光をＲＧＢの領域が分割形成された回転フィルターを介して、空間変調素子（光変調デバイスともいい、具体的にはＤＭＤ素子などをいう）などを時分割で照射し、このＤＭＤ素子で特定の光を反射させてスクリーンに照射するものである。ＤＭＤ素子とは、１画素ごとに小さな鏡を数百万個敷き詰めたものであって、一つ一つの小さな鏡の向きを制御することで光の投射が制御される。
ＤＬＰ方式は、ＬＣＤ方式に比較して、光学系が簡易であるとともに３枚ものＬＣＤパネルを使う必要がないことから装置全体が小型簡易化するメリットがある。
【０００３】
一方、プロジェクター装置の光源は、高い蒸気圧を有するショートアーク型水銀ランプが使用される。水銀蒸気圧を高くすることで、可視波長域の光を高い出力で得られるからである。
また、この水銀ランプ（以下、単に「ランプ」ともいう）は、スクリーンに投射される画像を明るくするために、回転楕円面形状の凹面反射鏡（略お椀型）の中に組み込まれる。凹面反射鏡を使うことで、ランプからの四方八方に放射される光を集束させて、限られた面積のスクリーンに効率よく照射できるからである。
【０００４】
近年、プレゼンテーション用途に使われるプロジェクター装置などでは、出先で使う場合が多く、容易に持ち運びできるという意味で、装置の小型・軽量化が強く求められている。
プロジェクター装置に対して小型化が要求されると、当然に、プロジェクター装置の中に組み込まれる光学装置（放電ランプや凹面反射鏡）も小型化が要求される。
その一方で、当然ではあるが、このような寸法、形状の制約を受けたとしても、ランプの放射光の利用効率を低下させることはできない。
【０００５】
図７は、従来から提案されている光学装置の概略構造を示す。凹面反射鏡とは、別に、補助反射鏡（副反射鏡）を設けて、ランプから凹面反射鏡に直射することなく、前方に向けて放射される光（La）を凹面反射鏡に再び戻して（Lb）、利用するものである。
【０００６】
しかし、ランプが、より小型化すると電極間距離も短くなるので、補助反射鏡で反射させた光が電極で遮光されてしまい、凹面反射鏡まで導くことができないという問題が生じる。これは、アーク輝点が実際には点光源ではなく有限の大きさを持ったものであること、発光部１１の形状が完全な球形ではないこと、発光部の界面において光が屈折することなどによる。
【０００７】
また、補助反射鏡で反射された光が、電極を照射すると、電極を高温化させてしまい電極磨耗という問題も生じさせる。その一方で、電極間距離を大きくすると、アーク輝点が大きくなってしまい放射光の明るさが全体として低下するという問題が生じる。
【特許文献１】特開２００５−１９７２０８号
【特許文献２】特開２００６−０３０３７８号
【特許文献３】特開２００６−１０６６５６号
【発明の開示】
【発明が解決しようとする課題】
【０００８】
この発明が解決しようとする課題は、ランプの放射光を効率的に利用できるとともに、小型化の要請に適した光学装置を提供することである。
【課題を解決するための手段】
【０００９】
上記課題を解決するために、この発明の光学装置は、一対の電極を有する発光部とこの発光部の両端に設けられた封止部よりなるショートアーク型水銀ランプ(10)と、このショートアーク型水銀ランプ(10)のアーク方向と光軸が一致するとともに、第一焦点が概ね電極間に形成された状態で当該水銀ランプ(10)を取り囲むよう配置された回転楕円体からなる主反射鏡(MR)と、封止部のうち主反射鏡(MR)の開口側に配置された封止部に取り付けられるとともに、当該水銀ランプ(10)から主反射鏡の開口側へ直接放射された光を主反射鏡(MR)に向けて再び反射させるための補助反射鏡(SR)とよりなる。
そして、前記主反射鏡(MR)及び前記補助反射鏡(SR)は、ともに、前記水銀ランプ(10)の放射光のうち、紫外光と可視光は反射するが、赤外光は透過するものであり、また、前記主反射鏡(MR)からの光のうち、可視光は透過させるが紫外光は反射させるとともに、当該光の入射面が曲面形状であるレンズが、前記主反射鏡(MR)の第ニ焦点位置よりも主反射鏡(MR)に近い位置に配置されることを特徴とする。
【００１０】
さらに、前記レンズは、前記主反射鏡からの光が垂直に入るように構成されたことを特徴とする。
【００１１】
さらに、前記レンズはメニスカスレンズであることを特徴とする。
【００１２】
さらに、前記補助反射鏡は球面反射鏡から構成されることを特徴とする。
【００１３】
さらに、前記主反射鏡(MR)の開口縁で形成される仮想面(MR-VS)と、前記補助反射鏡(SR)の開口縁で形成される仮想面(SR-VS)が、ほぼ一致することを特徴とする。
【００１４】
さらに、前記ショートアーク型水銀ランプ(10)は、発光部に0.15ｍｇ／ｍｍ３以上の水銀を封入していることを特徴とする。
【００１５】
さらに、前記ショートアーク型水銀ランプ(10)は、一対の電極同士の間隙が0.5〜2.0ｍｍであることを特徴とする。
【００１６】
さらに、前記ショートアーク型水銀ランプ(10)は、発光部に５×１０−５〜７×１０−３μｍｏｌ／ｍｍ３のハロゲンを封入していることを特徴とする。
【００１７】
さらに、前記ショートアーク型水銀ランプ(10)は、電極の先端に突起が形成されていることを特徴とする。
【発明の効果】
【００１８】
本発明は以下の作用効果を有する。
(1)．水銀ランプから放射される光のうち紫外光をランプの発光部に戻すことで、ランプの発光を高めることができる。これは、紫外光が水銀蒸気に吸収させることで、発光部を全体として高温化できるからである。
(2)．また、水銀ランプから放射される光のうち赤外光は、ランプに戻らないようにしているので、電極が局所的に高温化して損耗するという問題を解消できる。
【発明を実施するための最良の形態】
【００１９】
図１は本発明に係る光学装置の全体外観図を表す。
光学装置は、水銀ランプ（以下、単に「ランプ」ともいう）１０、主反射鏡ＭＲ、および補助反射鏡ＳＲより構成される。主反射鏡ＭＲは、ランプ１０を取り囲むように配置しており、ランプ１０のアーク方向、すなわち、電極の先端同士を結ぶ方向と、主反射鏡ＭＲの光軸Ｚは一致している。また、主反射鏡ＭＲは、電極間のほぼ中心位置を、第一焦点とする回転楕円面構造であり、補助反射鏡ＳＲはランプ発光部の球面形状に対応して球面状構造に形成されている。
【００２０】
ランプ１０は、ほぼ球体の発光部１１とその両端に封止部１２（１２ａ，１２ｂ）を有し、一方の封止部１２ａが主反射鏡ＭＲの首部（頂部）ＭＲａに取り付けられる。ランプ１０と主反射鏡ＭＲの固定は接着剤などを使うが、図示のように両者を直接取り付けてもよいし、別部材として口金（レフベース）などを用い、ランプ１０をレフベースに取り付けて、そのレフベースに主反射鏡ＭＲに固定させてもよい。
【００２１】
主反射鏡ＭＲの反射部ＭＲｂは回転楕円面であり、全体として凹面形状（略おわん型）をなしている。主反射鏡ＭＲは低膨張ガラスである硼珪酸硝子を基材として、その内面に可視光（ＶＩＳ）と紫外光（ＵＶ）を反射するとともに、赤外光（ＩＲ）を透過する干渉膜が形成される。干渉膜は、具体的には、基材に対して、第一層としてチタニア（ＴｉＯ２）とシリカ（ＳｉＯ２）を交互に積層した膜が形成され、その上に、第ニ層として酸化ハフニウム（ＨｆＯ２）とフッ化マグネシウム（ＭｇＦ）を交互に積層した膜が形成されている。これにより、第一層において、例えば、波長３００〜波長３８０ｎｍの紫外光を反射し、第ニ層において、例えば、波長３８０〜波長８３０ｎｍの可視光を反射することができる。
【００２２】
補助反射鏡ＳＲは、ランプ１０の封止部１２ｂに取り付けられている。耐熱性のセラミック製接着剤により取り付けられる。補助反射鏡ＳＲは、ランプの発光部１１に倣ってほぼ球面体になっているため、反射鏡に入射した光線を同じ方向に反射させる。補助反射鏡ＳＲは、ランプバルブ近傍にあり高温となるため石英ガラスを基材として、その内面には可視光（ＶＩＳ）と紫外光（ＵＶ）を反射するとともに、赤外光（ＩＲ）を透過する干渉膜が形成される。干渉膜は、具体的には、基材に対して、第一層としてタンタラ（Ｔａ２Ｏ５）とシリカ（ＳｉＯ２）を交互に積層した膜が形成され、その上に、第二層として酸化ハフニウム（ＨｆＯ２）とフッ化マグネシウム（ＭｇＦ）を交互に積層した膜が形成されている。これにより、第一層において、例えば、波長３００〜波長３８０ｎｍの紫外光を反射し、第二層において、例えば、波長３８０〜波長８３０ｎｍの可視光を反射することができる。
【００２３】
ここで、主反射鏡(MR)の開口縁で形成される仮想面(MR-VS)と、補助反射鏡(SR)の開口縁で形成される仮想面(SR-VS)は、ほぼ一致することが望ましい。主反射鏡(MR)の光軸方向の長さを小さくできるので光学装置全体を小型化できるからであり、また、ランプ１０の放射光を、主反射鏡(MR)もしくは補助反射鏡(SR)の少なくともいずれかで反射できるからである。
【００２４】
主反射鏡ＭＲの前方であって、主反射鏡ＭＲの第二焦点位置よりも主反射鏡ＭＲ側にはレンズＭＬが配置される。レンズＭＬはランプ側の側面が少なくとも凸部（主反射鏡ＭＲと同じ方向に突出した形状）であり、主反射鏡ＭＲから出射された光線が垂直に入るように曲面形状をなしている。具体的には、図に示すような片面が、凸面で、反対面が凹面の単レンズ、もしくは接合レンズであり、いわゆるメニスカスレンズを使うことが望ましい。
【００２５】
レンズＭＬは、図示略ではあるが、レンズ保持部材に装着されており、このレンズ保持部材が同じく図示略の光学ユニットに取り付けられる。レンズＭＬは、主反射鏡ＭＲからの光をすべて受光できる大きさ（外径）を有しており、また、主反射鏡ＭＲからの光をすべて受光できる位置に配置される。レンズＭＬは硬質ガラスである硼珪酸硝子（ＴＥＭＡＸ；商標）を基材として、主反射鏡ＭＲ側の表面には可視光（ＶＩＳ）を透過するとともに、紫外光（ＵＶ）を反射する干渉膜が形成される。干渉膜は、具体的には、基材に対して、酸化ハフニウム（ＨｆＯ２）とフッ化マグネシウム（ＭｇＦ）を交互に積層した膜が形成されている。これにより、例えば、波長３００〜波長３８０ｎｍの紫外光を反射し、波長３８０〜波長８３０ｎｍの可視光を透過することができる。レンズＭＬの主反射鏡ＭＲと反対側の表面には反射防止膜（ＡＲコート）が施される。レンズＭＬを透過した可視光が再び反射することを防止するためである。
なお、レンズＭＬの前方に、液晶パネルやＤＬＰ用回転色フィルターが配置される。
【００２６】
図２はランプ放射光の進行状態を説明するための図を示す。
ランプ１０の放射光には、可視光（ＶＩＳ）、赤外光（ＩＲ）、紫外光（ＵＶ）が含まれている。可視光（ＶＩＳ）の波長域は概ね３８０〜８３０ｎｍであり、赤外光（ＩＲ）の波長域は概ね８３０ｎｍ以上であり、紫外光（ＵＶ）の波長域は概ね３８０ｎｍ以下である。図では、反射鏡やレンズに入射する光を実線で示し、可視光（ＶＩＳ）を一点鎖線で示し、赤外光（ＩＲ）を大きい点線で示し、紫外光（ＵＶ）を小さい点線で示している。
ランプ放射光のうち、補助反射鏡ＳＲに達した光ＥＬ１は、補助反射鏡ＳＲにおいて、可視光（ＶＩＳ）と紫外光（ＵＶ）を反射して、赤外光（ＩＲ）を透過させる。
次に、主反射鏡ＭＲに達した光ＥＬ２は、主反射鏡ＭＲにおいて、可視光（ＶＩＳ）と紫外光（ＵＶ）を反射して、赤外光（ＩＲ）を透過させる。光ＥＬ２は、ランプ１０から直射する光もあるが、補助反射鏡ＳＲで反射した光も含んでいる。
さらに、レンズＭＬに達した光ＥＬ３は、レンズＭＬにおいて、可視光（ＶＩＳ）を透過して、紫外光（ＵＶ）を反射する。反射した紫外光（ＵＶ）は、主反射鏡ＭＲを介して、再びランプ１０に戻される。なお、レンズＭＬに達した光ＥＬ３のうち、赤外光（ＩＲ）はレンズＭＬに吸収される。
【００２７】
このような構成により、本願発明の光学装置は、可視光（ＶＩＳ）だけを光学装置の外部に出射することになる。そして、紫外光（ＵＶ）は再びランプ発光部１１に戻して水銀蒸気に吸収させることで発光部を昇温させる。
【００２８】
図３はランプの発光部１０を拡大した概念図を示す。
発光部１０の内部は水銀蒸気（水銀原子）が充満している。ここで、紫外光（ＵＶ）は水銀蒸気に吸収させることで、発光部１０の温度を昇温させる。一方、赤外光（ＩＲ）は水銀蒸気に吸収させることはなく、電極間の空間を抜けて、ランプを通過するか、あるいは、電極に衝突することとなる。後者の場合は、局所的に電極を高温化させることになり、電極を損耗させてしまう。特に、後述するが、本願発明のランプは、電極先端に突起部を形成されていることが多く、当該突起に赤外光（ＩＲ）が照射すると、突起が変形することで、放電ランプのアーク方向が変形したり、電極の損耗により照度低下やいわゆる‘アークジャンプ’を生じさせてしまう。
【００２９】
図４は本発明に係るレンズＭＬの他の実施形態（ａ）〜（ｃ）を示す。いずれもレンズの右側が光の入射面、左側が光の出射面をそれぞれ示す。（ａ）は入射面の曲率が出射面の曲率よりも小さい場合を示し、（ｂ）は入射面の曲率が出射面の曲率よりも大きい場合を示す。これらレンズは、いずれも所謂‘凸メニスカスレンズ’（三日月形のレンズ）と呼ばれるもので、入射面は凸であるが、出射面は凹になっている。このレンズを使うことで、本発明で厚みが均一な凸メニスカスレンズを用いた場合、本レンズを透過する光の光路に影響を与えないという利点を有する、（ｃ）は入射面が曲面状であるが出射面が平板状のレンズ、いわゆる‘平凸レンズ’を示す。なお、（ａ）〜（ｃ）のいずれのレンズも、入射面は、主反射鏡ＭＲからの光線が垂直に入射するような曲面形状が望ましい。紫外光（ＵＶ）を再びランプ発光部１１に戻すためである。
【００３０】
図５はランプ１０の全体構造を示す。ランプ１０は、いわゆる水銀ランプであって、石英ガラスからなる放電容器によって形成された概略球形の発光部１０を有する。この発光部１１の中には発光空間が形成されており、空間内において同一の電極２が0.5ｍｍ〜２ｍｍの間隔で対向配置している。発光部１１の両端部には封止部１２が形成され、この封止部１２には、モリブデンよりなる導電用金属箔３が、例えばシュリンクシールにより気密に埋設される。金属箔３の一端には電極２の軸部が接合しており、また、金属箔３の他端には外部リードが接合して外部の給電装置から給電が行なわれる。発光部１１には、水銀と、希ガスと、ハロゲンガスが封入されている。水銀は、必要な紫外光波長、例えば、波長300〜360ｎｍの放射光を得るためのもので、0.15ｍｇ／ｍｍ３以上、具体的には0.15〜0.25ｍｇ／ｍｍ３封入されている。この封入量は、温度条件によっても異なるが、点灯時80気圧以上の高い蒸気圧となる。
【００３１】
希ガスは、例えば、アルゴンガスが約13ｋＰａ封入される。その機能は点灯始動性を改善することにある。ハロゲンは、沃素、臭素、塩素などが水銀あるいはその他の金属と化合物の形態で封入される。ハロゲンの封入量は、5×10-5〜７×10−３μｍｏｌ／ｍｍ３の範囲から選択される。ハロゲンの機能は、いわゆるハロゲンサイクルを利用した長寿命化であるが、本発明の放電ランプのように極めて小型できわめて高い点灯蒸気圧のものは、放電容器の失透防止という作用もある。ランプの数値例を示すと、例えば、発光部１１の最大外径9.5ｍｍ、電極間距離1.5ｍｍ、発光管内容積75ｍｍ３、定格電圧70Ｖ、定格電力200Ｗであり350ヘルツで交流点灯される。
【００３２】
ランプの数値例を示すと、例えば、発光部１１の最大外径10ｍｍ、電極間距離1.0ｍｍ、発光管内容積75ｍｍ３、定格電圧70Ｖ、定格電力200Ｗで交流点灯される。
また、この種の放電ランプは、小型化するプロジェクター装置に内蔵されるものであり、全体寸法として極めて小型化が要請させる一方で高い発光光量も要求される。このため、発光部内の熱的影響は極めて厳しいものとなる。ランプの管壁負荷値は0.8〜2.0Ｗ／ｍｍ２、具体的には1.5Ｗ／ｍｍ２となる。このような高い水銀蒸気圧や管壁負荷値を有することがプロジェクター装置やオーバーヘッドプロジェクターのようなプレゼンテーション用機器に搭載された場合に、演色性の良い光を提供できる。なお、放電ランプは、交流点灯に限定されず、直流点灯であってもかまわない。
【００３３】
電極２の先端（他方の電極に対向する端部）は、ランプの点灯に伴い、突起が形成される。突起が形成される現象は、必ずしも明らかではないが、以下のように推測される。すなわち、ランプ点灯中に電極先端付近の高温部から蒸発したタングステン（電極の構成材料）は、発光管内に存在するハロゲンや残留酸素と結合して、例えばハロゲンがＢｒならＷＢｒ、ＷＢｒ２、ＷＯ、ＷＯ２、ＷＯ２Ｂｒ、ＷＯ２Ｂｒ２などのタングステン化合物として存在する。これら化合物は電極先端付近の気相中の高温部においては分解してタングステン原子または陽イオンとなる。温度拡散（気相中の高温部＝アーク中から、低温部＝電極先端近傍に向かうタングステン原子の拡散）、および、アーク中でタングステン原子が電離して陽イオンになり、陰極動作しているとき電界によって陰極方向へ引き寄せられる（ドリフト）ことによって、電極先端付近における気相中のタングステン蒸気密度が高くなり、電極先端に析出し、突起を形成すると考えられる。
【００３４】
図６は電極先端及び突起を示す模式図である。電極２は球部２ａと軸部２Ｂから構成され、球部２ａの先端に突起２ｂが形成される。この突起２ｂは、ランプの点灯開始時に存在しない場合であっても、その後の点灯により、いわば自然発生的に形成される。ここで、突起２ｂは、いかなる放電ランプであっても生じるというわけではない。電極間距離が１ｍｍ〜２ｍｍであって、発光部に0.08ｍｇ／ｍｍ３以上の水銀と、希ガスと、5×10-5〜７×10−３μｍｏｌ／ｍｍ３の範囲でハロゲンを封入したショートアーク型放電ランプにおいて、ランプ点灯に伴い、突起２ｂが形成され、突起２ｂ同士の間でアークが形成される。
このように本願発明のランプは、電極に突起が形成されているため、赤外光（ＩＲ）が照射されないように施している。
【００３５】
主反射鏡ＭＲ、補助反射鏡ＳＲ、レンズＭＬは、ランプからの放射光を反射・透過することができれば、特に上記実施例に限定されるものではない。しかし、プロジェクター装置に使われるという意味では、耐熱性、耐強度性に優れた部材を使うことが好ましい。具体的には、硼珪酸硝子、石英硝子などを基材とするものである。耐熱性が要求される理由は、ランプ点灯時、主反射鏡ＭＲは４００℃程度の高温になり、補助鏡ＳＲは８００℃以上になるからである。また、耐強度性が要求される理由は、プロジェクター装置の内部に、他の電気部品や光学部品と密集させて配置する場合に形状変化しないことや、ランプが万一破損した場合に同様に破損させないためである。
【００３６】
レンズＭＬは主反射鏡ＭＲの前面開口とは離間していることが望ましい。ランプ１０の封止部１２ｂに向けて冷却風を吹き付けることができるからである。また、主反射鏡ＭＲの前面開口にガラスなどを装着することも考えられるが、光学装置全体が大型化するので望ましくない。
【００３７】
なお、主反射鏡ＭＲ、補助反射鏡ＳＲ、レンズＭＬについて、波長３８０〜４２０ｎｍの紫外光を反射する構造とした場合、紫外光を透過する従来の装置と比較して、光出力が７％改善していることが確認された。また、主反射鏡ＭＲ、補助反射鏡ＳＲ、レンズＭＬについて、波長３００〜４２０ｎｍの紫外光を反射する構造とした場合、紫外光を透過する従来の装置と比較して、光出力が１０％改善していることが確認された。
【００３８】
以上説明したように、本発明は以下の作用効果を有する。
(1)．水銀ランプから放射される光のうち紫外光をランプの発光部に戻すことで、ランプの発光を高めることができる。これは、紫外光が水銀蒸気に吸収させることで、発光部を全体として高温化できるからである。
(2)．また、水銀ランプから放射される光のうち赤外光は、ランプに戻らないようにしているので、電極が局所的に高温化して損耗するという問題を解消できる。
【図面の簡単な説明】
【００３９】
【図１】本発明に係る光学装置の全体構造を示す。
【図２】本発明に係る光学装置において光の進行状況を示す。
【図３】本発明に係る光学装置のランプ発光部の概念構造を示す。
【図４】本発明に係る光学装置のレンズの実施形態を示す。
【図５】本発明に係る光学装置のランプの拡大構造を示す。
【図６】本発明に係る光学装置のランプの電極の模式図を示す。
【図７】従来の光学装置を示す。
【符号の説明】
【００４０】
１０  ランプ
ＭＲ  主反射鏡
ＳＲ  補助反射鏡
ＭＬ  レンズ
【図１】
2010060855.tif 000003
【図２】
2010060855.tif 000004
【図３】
2010060855.tif 000005
【図４】
2010060855.tif 000006
【図５】
2010060855.tif 000007
【図６】
2010060855.tif 000008
【図７】
2010060855.tif 000009